(57)【要約】      （修正有）【課題】クロマトグラフ装置に関する管理情報を自動的に報知して管理不良を防止し、安定して測定できるようにしたクロマトグラフ装置及びクロマトグラフ装置の管理方法を提供する。【解決手段】制御部と、記憶部とを備えたクロマトグラフ装置であって、記憶部は、測定対象の標準試料の標準クロマトグラムＣＲの波形Ｗ０〜Ｗ２又は強度Ａ０〜Ａ２に基づく診断基準を記憶し、量又は割合が既知の標準試料の実測クロマトグラムＣＲを測定したとき、制御部は、実測クロマトグラムの波形Ｗ０ａ、Ｗ０ｃ〜Ｗ２ｃ又は強度Ａ０ｂ〜Ａ２ｂについて、診断基準に基づいてクロマトグラフ装置に関する管理情報を報知する。【選択図】図２
2020139775.tif 000002
【特許請求の範囲】
【請求項１】
制御部と、記憶部とを備えたクロマトグラフ装置であって、
前記記憶部は、測定対象の標準試料の標準クロマトグラムの波形又は強度に基づく診断基準を記憶し、
量又は割合が既知の前記標準試料の実測クロマトグラムを測定したとき、前記制御部は、前記実測クロマトグラムの波形又は強度について、前記診断基準に基づいて前記クロマトグラフ装置に関する管理情報を報知するクロマトグラフ装置。
【請求項２】
前記診断基準は、前記標準クロマトグラムの波形の広がりの第１閾値を記憶し、
前記制御部は、前記実測クロマトグラムの波形の広がりが前記第１閾値を超えた場合に、固定相又は移動相の不具合を報知する、請求項１に記載のクロマトグラフ装置。
【請求項３】
前記診断基準は、前記標準クロマトグラムの強度の第２閾値を記憶し、
前記制御部は、前記実測クロマトグラムの前記強度が前記第２閾値未満の場合に、検出器の不具合を報知する、請求項１又は２に記載のクロマトグラフ装置。
【請求項４】
前記標準クロマトグラムは、前記測定対象の標準試料の内部標準によるクロマトグラムであり、
前記内部標準を用いて前記実測クロマトグラムを測定したとき、前記制御手段は、前記実測クロマトグラムの前記内部標準を含む波形又は強度について、前記診断基準に基づいて前記管理情報を報知する請求項１〜３のいずれか一項に記載のクロマトグラフ装置。
【請求項５】
前記内部標準は、前記標準試料のクロマトグラムのピークの前後の時間にそれぞれピークが現れる第１内部標準及び第２内部標準を有し、
前記制御部は、前記実測クロマトグラムの前記第１内部標準及び前記第２内部標準のピークの波形又は強度に重み付けをして前記診断基準を行う、請求項４に記載のクロマトグラフ装置。
【請求項６】
前記管理情報の報知に対し、ユーザから管理を行った旨の情報を受信した場合、前記制御部は、前記実測クロマトグラムを再測定して前記診断基準に基づいて前記管理情報を報知する請求項１〜５のいずれか一項に記載のクロマトグラフ装置。
【請求項７】
前記記憶部は、前記測定対象の検量線をさらに記憶し、
前記制御部は、前記実測クロマトグラムを再測定したときに前記管理情報として管理が正常と判定したとき、前記標準試料の実際の量又は割合と、前記標準試料の強度から前記検量線に基づいて算出される前記標準試料の推定量又は推定割合とが不一致の場合に、前記検量線の不具合を報知する請求項６に記載のクロマトグラフ装置。
【請求項８】
前記制御部は、前記実測クロマトグラムを再測定したときに前記管理情報として管理が正常と判定したとき、前記クロマトグラフ装置の管理が完了した旨の完了情報を取得した場合に、
前記完了情報を報知する請求項６に記載のクロマトグラフ装置。
【請求項９】
測定対象の標準試料の標準クロマトグラムの波形又は強度に基づく診断基準を記憶し、
量又は割合が既知の前記標準試料の実測クロマトグラムを測定したとき、前記実測クロマトグラムの波形又は強度について、前記診断基準に基づいて前記クロマトグラフ装置に関する管理情報を報知するクロマトグラフ装置の管理方法。
【発明の詳細な説明】
【技術分野】
【０００１】
本発明は、液体クロマトグラフ装置、ガスクロマトグラフ装置などのクロマトグラフ装置及びクロマトグラフ装置の管理方法に関する。
【背景技術】
【０００２】
従来、液体クロマトグラフ（ＨＰＬＣ）による定量分析では、濃度が既知の標準物質をあらかじめ測定して検量線を得て、それにより未知試料を定量している（特許文献１）。但し、移動相に含まれる溶媒の混合率の調製の誤差、温度等による移動相の流量変動、固定相であるカラムの劣化等により、測定値が日々変動するため、定期的に検量線を作成（更新）し、分析結果を補正している。
【先行技術文献】
【特許文献】
【０００３】
【特許文献１】特許第6152301号公報
【発明の概要】
【発明が解決しようとする課題】
【０００４】
ところで、上記したように、カラム等の固定相、移動相に含まれる溶媒、検出器等に不具合が生じると測定値が変動するので、これらの備品等を管理し、必要に応じて交換する必要があるが、作業が煩雑であると共に、交換やメンテナンス等の管理のタイミングが認識しづらいという問題がある。
ここで、例えば検出器（ＵＶ光源ランプ等）の寿命管理は、ランプの発光するエネルギー値のチェックが一般的であるが、交換費用をできるだけ抑えて長く使用したいという要望がある。しかしながら、ランプ自身の個体差や分析に求められる精度が異なるため、エネルギー値の交換の閾値が一律に決定できず、分析結果に異常が生じてからエネルギー値を見て分析異常がランプの寿命に起因すると判明する場合も多い。
【０００５】
一方、技術的な進歩により、液体クロマトグラフ装置は、所定の分析精度の範囲内で保守・管理できている状態であれば、検量線を頻繁に更新しなくとも安定して測定ができ、求める精度の分析結果が得られるようになってきている。
これに対し、日々検量線を作成（更新）して分析結果を補正する方策は、かえって分析システムの不具合（上述の検出器等）を知らずに補正してしまうことがある。例えば、溶媒の交換や保守後に、定量分析の測定値が何割も変化することもある。
そこで、分析結果が正しい（システムが正常である）か否かの確認として、分析の前又は前後で、標準試料であるQCサンプル（または、ブランクとQCサンプル）を分析することもできる。しかしながら、単に濃度や面積値の比較だけであると、分析システムの異常は検知できても、異常の原因となった不具合の種別（例えば、上述の検出器等の不具合）を判別できないという問題がある。
【０００６】
そこで、本発明は上記の課題を解決するためになされたものであり、クロマトグラフ装置に関する管理情報を自動的に報知して管理の不具合を防止し、安定して測定できるようにしたクロマトグラフ装置及びクロマトグラフ装置の管理方法の提供を目的とする。
【課題を解決するための手段】
【０００７】
上記の目的を達成するために、本発明のクロマトグラフ装置は、制御部と、記憶部とを備えたクロマトグラフ装置であって、前記記憶部は、測定対象の標準試料の標準クロマトグラムの波形又は強度に基づく診断基準を記憶し、量又は割合が既知の前記標準試料の実測クロマトグラムを測定したとき、前記制御部は、前記実測クロマトグラムの波形又は強度について、前記診断基準に基づいて前記クロマトグラフ装置に関する管理情報を報知する。
【０００８】
このクロマトグラフ装置によれば、診断基準に基づいて、実測クロマトグラムを測定したときに、クロマトグラフ装置に関する管理情報をユーザの恣意的な判断によらず自動的に報知して管理の不具合を防止し、安定して測定できる。
【０００９】
前記診断基準は、前記標準クロマトグラムの波形の広がりの第１閾値を記憶し、前記制御部は、前記実測クロマトグラムの波形の広がりが前記第１閾値を超えた場合に、固定相又は移動相の不具合を報知してもよい。
このクロマトグラフ装置によれば、第１閾値に基づき、管理情報として固定相又は移動相の不具合を特定できる。
【００１０】
前記診断基準は、前記標準クロマトグラムの強度の第２閾値を記憶し、前記制御部は、前記実測クロマトグラムの前記強度が前記第２閾値未満の場合に、検出器の不具合を報知してもよい。
このクロマトグラフ装置によれば、第２閾値に基づき、管理情報として検出器の不具合を特定できる。
【００１１】
前記標準クロマトグラムは、前記測定対象の標準試料の内部標準によるクロマトグラムであり、前記内部標準を用いて前記実測クロマトグラムを測定したとき、前記制御手段は、前記実測クロマトグラムの前記内部標準を含む波形又は強度について、前記診断基準に基づいて前記管理情報を報知してもよい。
内部標準を用いない実測クロマトグラムを測定した場合、標準試料のピークのみが現れるので、ピークのテーリングと、ブローデニングとの区別が付かない。そこで、標準クロマトグラム及び実測クロマトグラムとして、内部標準によるクロマトグラムを用い、内部標準を含む波形又は強度について診断を行うと、管理情報をさらに詳細に（例えば、固定相の不具合と移動相の不具合とに）区別できる。
【００１２】
前記内部標準は、前記標準試料のクロマトグラムのピークの前後の時間にそれぞれピークが現れる第１内部標準及び第２内部標準を有し、前記制御部は、前記実測クロマトグラムの前記第１内部標準及び前記第２内部標準のピークの波形又は強度に重み付けをして前記診断基準を行ってもよい。
このクロマトグラフ装置によれば、例えば、検出器の不具合（検出器のランプ劣化）が生じた場合に、第１内部標準のピークの強度の方が、第２内部標準のピークの強度よりも顕著に低下することが既知の場合、強度に重みづけ（例えば、第１内部標準のピークの強度に１未満の値を乗じる）することで、検出器の不具合をより精度よく診断できる。
【００１３】
前記管理情報の報知に対し、ユーザから管理を行った旨の情報を受信した場合、前記制御部は、前記実測クロマトグラムを再測定して前記診断基準に基づいて前記管理情報を報知してもよい。
このクロマトグラフ装置によれば、ユーザによる保守が済んだ後に、実測クロマトグラムを再測定して再度診断を行い、その結果に応じて例えば「保守完了」の旨を報知することで、保守が確実に行われたことを装置側で認識することができ、保守の信頼性が向上する。
【００１４】
前記記憶部は、前記測定対象の検量線をさらに記憶し、前記制御部は、前記実測クロマトグラムを再測定したときに前記管理情報として管理が正常と判定したとき、前記標準試料の実際の量又は割合と、前記標準試料の強度から前記検量線に基づいて算出される前記標準試料の推定量又は推定割合とが不一致の場合に、前記検量線の不具合を報知してもよい。
このクロマトグラフ装置によれば、管理が正常な場合、検量線による標準試料の測定を行うことで、検量線の不具合の有無を判定できる。そして、検量線が不具合であることを直ちに把握できるので、検量線を作成し直す判断材料となり、検量線を過不足なく再作成できる。
【００１５】
前記制御部は、前記実測クロマトグラムを再測定したときに前記管理情報として管理が正常と判定したとき、前記クロマトグラフ装置の管理が完了した旨の完了情報を取得した場合に、前記完了情報を報知してもよい。
このクロマトグラフ装置によれば、クロマトグラフ装置の管理が完了したことをユーザが確実に認識できる。
【００１６】
本発明のクロマトグラフ装置の管理方法は、測定対象の標準試料の標準クロマトグラムの波形又は強度に基づく診断基準を記憶し、量又は割合が既知の前記標準試料の実測クロマトグラムを測定したとき、前記実測クロマトグラムの波形又は強度について、前記診断基準に基づいて前記クロマトグラフ装置に関する管理情報を報知する。
【発明の効果】
【００１７】
本発明によれば、クロマトグラフ装置に関する管理情報を自動的に報知して管理不良を防止し、安定して測定できるようにしたクロマトグラフ装置が得られる。
【図面の簡単な説明】
【００１８】
【図１】本発明の実施形態に係る液体クロマトグラフ装置の構成を示す図である。
【図２】標準クロマトグラム、及び実測クロマトグラムを示す図である。
【図３】診断基準（テーブル）を示す図である。
【図４】診断基準を、標準物質の濃度と、第１閾値及び第２閾値との関数として表した図である。
【図５】液体クロマトグラフ装置のデータ処理装置の処理フローを示す図である。
【図６】図５の処理フローのサブルーチン「検量線の診断」を示す図である。
【図７】図６のステップＳ３４の判定の具体的方法を示す図である。
【発明を実施するための形態】
【００１９】
以下、本発明の実施形態について、図面を参照して説明する。
図１は、本発明の実施形態に係る液体クロマトグラフ装置１００の構成を示す図である。
液体クロマトグラフ装置１００は、全体を制御するデータ処理装置（制御部）７、移動相（溶離液と溶媒の混合溶液）１、移動相１を送液するポンプ２、試料を注入するオートサンプラ３、成分を分離するカラム４、カラム４を恒温にするカラムオーブン５、分離された成分を検出する検出器６、表示部１０を備える。
データ処理装置７は、分析を実行し分析結果を解析する制御部（ＣＰＵ）９、分析結果または解析結果を保存する記憶部（ハードディスク等）８を有するコンピュータから構成される。表示部（モニタ）１０は、分析結果や解析結果を表示する。
【００２０】
検出器６は信号強度を検出する素子を複数持ち、時間に対する信号強度を複数波長において同時に取得可能な検出器である。検出器６としては、分離分析できるものであれば特に制限されず、例えば、UV検出、UV／蛍光の2次元分析、MS（質量分析）等を用いることができる。
【００２１】
試料は、オートサンプラ３のインジェクタ（図示せず）から注入され、ポンプ２から送液される移動相１とともにカラム５を通過し、試料中の種々の成分に分離される。
成分に分離された試料は、検出器６で検出される。検出器６の信号はデータ処理装置７に送られてデータ処理が行われる。
カラム４は、移動相１中に存在する試料の成分を分離する分離部として一般的に使用される装置である。カラム４としては、充填型カラムやモノリスカラム等がある。カラム４のカラム充填剤としては、吸着型、分配型、イオン交換型等の種々のタイプのものを使用することができる。カラム４を恒温に保ち、再現性よく試料の分離ができるように、カラム４は、カラムオーブン５内に設置されていることが望ましい。
【００２２】
本発明の実施形態の一例においては、液体クロマトグラフ装置１００の移動相１、カラム４、検出器６等の測定に影響を与える部品、部材を交換やメンテナンスして管理し正常な状態としておき、測定対象の特定濃度Ｃ１の標準物質の正常なクロマトグラム（標準クロマトグラム）を、この装置で予め測定しておくものである。そして、同じ既知濃度Ｃ１の標準物質で、管理状態が不明の装置にて実際に測定した実測クロマトグラムと波形や強度を比較して管理状態の診断を行う。
【００２３】
図２に、測定対象の特定濃度Ｃ１の標準物質の標準クロマトグラムＣＲ、及び実測クロマトグラムＣＲａ、ＣＲｂ、ＣＲｃを示す。
図２に示すように、標準クロマトグラムＣＲは、測定対象の標準試料の内部標準によるクロマトグラムであり、標準試料のピークＳ０の前後の保持時間にそれぞれ現れる第１内部標準ａのピークＳ１及び第２内部標準ｂのピークＳ２を有する。
各ピークＳ０、Ｓ１、Ｓ２につき、それぞれ半値幅をＷ０、Ｗ１、Ｗ２、強度（例えばピーク面積）をＡ０、Ａ１、Ａ２で表す。
標準クロマトグラム及び実測クロマトグラムの波形を比較する際は、半値幅に限らず、例えば何らかの波形の広がり（ベースラインの幅）等を用いることもできる。
【００２４】
図３に、記憶部８に記憶された診断基準（テーブル）Ｊ１を示す。この診断基準Ｊ１は、標準クロマトグラムＣＲに基づいており、各ピークＳ０、Ｓ１、Ｓ２につき、それぞれ半値幅の第１閾値Ｗｘ、Ｗｙ、Ｗｚ、及び強度（ピーク面積）の第２閾値Ａｘ、Ａｙ、Ａｚを、管理情報に関連付けて記憶する。
【００２５】
制御部９は、標準クロマトグラムＣＲに基づいて診断を行い、診断結果に応じて液体クロマトグラフ装置１００に関する管理情報を報知する。
例えば、図２に示すように、濃度Ｃ１の標準物質で管理状態が不明の装置にて実際に測定したときに実測クロマトグラムＣＲａが得られたとする。制御部９は、実測クロマトグラムＣＲａから各ピークＳ０〜Ｓ２の半値幅及び強度を取得し、実測クロマトグラムＣＲａのピークＳ０の半値幅Ｗ０ａが第１閾値Ｗｘを超えた場合、図３の診断基準Ｊ１を参照して固定相（カラム４）の不具合を報知する。
報知の方法は、例えば表示部１０上に、「カラムを交換して下さい」と表示したり、音声で告知することが挙げられる。
【００２６】
また、図２に示すように、別の実測クロマトグラムＣＲｂが得られたとする。制御部９は、実測クロマトグラムＣＲｂから各ピークＳ０〜Ｓ２の半値幅及び強度を取得し、少なくともピークＳ０の強度Ａ０ａが第２閾値Ａｘ未満の場合、図３の診断基準Ｊ１を参照して検出器の不具合（例えば、検出器のランプ交換）を報知する。
【００２７】
また、図２に示すように、さらに別の実測クロマトグラムＣＲｃが得られたとする。制御部９は、実測クロマトグラフＣＲｃから各ピークＳ０〜Ｓ２の半値幅及び強度を取得し、ピークＳ１又はＳ２の半値幅Ｗ１ｃ、Ｗ２ｃの少なくとも一方が第１閾値Ｗｙ又はＷｚを超えた場合、図３の診断基準Ｊ１を参照して移動相の不具合（例えば、溶離液や溶媒の濃度の変動、溶媒の交換等）を報知する。
【００２８】
なお、図２の実測クロマトグラムＣＲａの場合、標準試料のピークＳ０がテーリングを起こしてブロードになるが、内部標準のピークＳ１、Ｓ２のピークは殆ど広がらない。このような標準試料のピークＳ０のテーリングは、カラムの劣化に起因することが知られている。
一方、図２の実測クロマトグラムＣＲｃの場合、標準試料だけでなく内部標準のピークＳ１、Ｓ２もブロードになるので、移動相の不具合であることがわかる。
【００２９】
以上のようにして、液体クロマトグラフ装置１００の管理が完了し、正常な状態であるか、何らかの不具合があるかをユーザが容易に認識できるので、交換やメンテナンス等の管理のタイミングが把握し易く、作業効率が向上する。
【００３０】
ここで、内部標準を用いない実測クロマトグラムを測定した場合、標準試料のピークＳ０のみが現れるので、ピークＳ０のテーリングと、ブローデニングとの区別が付かない。
従って、標準クロマトグラム及び実測クロマトグラムとして、内部標準によるクロマトグラムを用い、内部標準を含む波形又は強度について診断を行うと、管理情報をさらに詳細に（例えば、固定相の不具合と移動相の不具合とに）区別できるので好ましい。
但し、内部標準を用いず、標準試料のピークＳ０が広がった場合に、包括的な管理情報（例えば、固定相と移動相の不具合のいずれか）を報知することも、もちろん本発明に含まれる。
【００３１】
なお、図２の実測クロマトグラムＣＲｂの例では、少なくともピークＳ０の強度Ａ０ｂが第２閾値Ａｘ未満の場合に管理情報を報知したが、ピークＳ０〜Ｓ２の強度Ａ０ｂ〜Ａ２ｂのすべてがそれぞれ第２閾値を超えた場合や、これらの強度Ａ０ｂ〜Ａ２ｂのうち２以上が第２閾値を超えた場合、強度Ａ０ｂ〜Ａ２ｂのうちいずれか１つが第２閾値を超えた場合に管理情報を報知してもよい。
又、内部標準のピークＳ１、Ｓ２の第２閾値との比較の際に重みづけをしてもよい。例えば、検出器の不具合（検出器のランプ劣化）が生じた場合に、第１内部標準のピークＳ１の強度Ａ１ｂの方が、第２内部標準のピークＳ２の強度Ａ２ｂよりも顕著に低下することが既知の場合、強度Ａ１ｂに重みづけ（例えば、強度Ａ１ｂに１未満の値を乗じる）することで、検出器の不具合をより精度よく診断できる。
【００３２】
又、図２の実測クロマトグラムＣＲｃの例では、半値幅Ｗ１ｃ、Ｗ２ｃの少なくとも一方が第１閾値Ｗｙ又はＷｚを超えた場合に管理情報を報知したが、ピークＳ０〜Ｓ２の半値幅Ｗ０ｃ〜Ｗ２ｃのすべてがそれぞれ第１閾値を超えた場合や、これらの半値幅Ｗ０ｃ〜Ｗ２ｃのうち２以上が第１閾値を超えた場合、半値幅Ｗ０ｃ〜Ｗ２ｃのいずれか１つが第１閾値を超えた場合に管理情報を報知してもよい。又、内部標準のピークＳ１、Ｓ２の第１閾値との比較の際、上記と同様に重みづけをしてもよい。
【００３３】
なお、測定対象、標準物質や分析条件が異なる場合は、測定対象、標準物質や分析条件ごとに標準クロマトグラムを測定して診断基準を記憶しておくことはいうまでもない。
例えば、品質管理部署や病院等の検査などの、１つのクロマトグラフ装置で常に同じ物質（又は近い物質）を分析する場合は、標準クロマトグラム及び診断基準は一律に設けておけばよい。
これに対し、例えば実験室レベルのクロマトグラフ装置のように、必要な実験や分析依頼毎に、溶媒やカラム等が付け替えられたり標準物質が変化する場合には、測定対象、標準物質や分析条件ごとに標準クロマトグラム及び診断基準を別個準備しておき、それぞれ異なる測定対象、標準物質や分析条件ごとに、異なる診断基準を呼び出すようにすればよい。
【００３４】
なお、上記実施形態では、記憶部８に記憶された診断基準の基となる標準クロマトグラムＣＲ、及び実測クロマトグラムは、いずれも同一濃度Ｃ１の標準物質についてのものであるので、濃度Ｃ１についての診断基準Ｊ１から一義的に診断を行えた。
しかしながら、実測クロマトグラムを測定する際、常に濃度Ｃ１の標準物質を入手できるとは限らない。
そこで、図４に示すように、診断基準Ｊ２を、標準物質の濃度Ｃと、第１閾値及び第２閾値との関数（又は式）とし、標準物質の濃度がＣ２の場合に、「濃度Ｃ２」と指定すると、診断基準Ｊ２に基づいて第１閾値及び第２閾値を取得するようにしてもよい。なお、図示はしないが、第１閾値及び第２閾値と、管理情報との間も関数（又は式）で関連付けられている。
なお、内部標準を用いる場合、内部標準の濃度は所定の値に定められているから、図３の診断基準Ｊ１と同様なテーブルで足りる。
【００３５】
図５は、液体クロマトグラフ装置１００のデータ処理装置７の処理フローを示す。
まず、データ処理装置７の制御部９は、記憶部８から診断基準Ｊ１を呼び出す（ステップＳ１０）。診断基準は測定対象、標準物質や分析条件毎に記憶されており、ユーザが測定対象、標準物質や分析条件等を指定すると、対応した診断基準を読み出すようになっている。
次に、制御部９は、濃度（量又は割合）が既知の測定対象の標準試料の実測クロマトグラムを測定する（ステップＳ１２）。そして、制御部９は、実測クロマトグラムの波形又は強度について、上述のように診断基準Ｊ１に基づいてクロマトグラフ装置に関する管理情報を報知する（ステップＳ１４）。例えば、上述のように表示部１０上に、「カラムを交換して下さい」と表示して報知すると、ユーザは適宜カラムを交換し、交換（保守）済の旨を液体クロマトグラフ装置１００に適宜入力する。
【００３６】
制御部９は、ステップＳ１４の管理情報に対して保守済の入力があったか否かを判定する（ステップＳ１６）。ステップＳ１６で「Ｎｏ」であればステップＳ１６に戻り、「Ｙｅｓ」であればステップＳ１８に移行する。
ステップＳ１８で、制御部９は、実測クロマトグラムを再測定し、診断基準Ｊ１に基づいて同様に管理状態を診断し、診断結果が正常（保守が不要な状態）か否かを判定する。
【００３７】
ステップＳ１８で「Ｙｅｓ」、つまり保守が不要であれば、必要に応じてサブルーチン「検量線の診断」を行った後、「保守完了」の旨を報知する（ステップＳ２０）。一方、ステップＳ１８で「Ｎｏ」であれば「保守不良」の旨を報知する（ステップＳ２２）。
ステップＳ２０、Ｓ２２の報知は、ステップＳ１４と同様に表示部１０上に表示したり、音声で告知することが挙げられる。又、ステップＳ２０、Ｓ２２の後、処理を終了する。
ステップＳ２０の報知を受けたユーザは、必要に応じて検量線を作成し、未知試料の測定を行うことができる。
【００３８】
このように、ユーザによる保守が済んだ後に、実測クロマトグラムを再測定して再度診断を行い、その結果に応じて「保守完了」の旨を報知することで、保守が確実に行われたことを装置１００側で認識することができ、保守の信頼性が向上する。
【００３９】
図６は、図５の処理フローのサブルーチン「検量線の診断」を示す。
まず、制御部９は、記憶部８から検量線を呼び出す（ステップＳ３０）。検量線も測定対象、標準物質や分析条件毎に記憶されており、ユーザが測定対象、標準物質や分析条件等を指定すると、対応した検量線を読み出すようになっている。
次に、制御部９は、濃度（量又は割合）が既知の測定対象の標準試料の実測クロマトグラムを測定し、測定対象を定量する（ステップＳ３２）。そして、制御部９は、検量線と比較して標準試料の定量は正常か否かを判定する（ステップＳ３４）。
【００４０】
ステップＳ３４の判定は、例えば図７に示すようにして行うことができる。
つまり、図７に示すように、既知の濃度Ｃ２の標準物質の実測クロマトグラフを測定する際、制御部９は、実測した標準物質の強度Ａｒに基づき、検量線Ｖ１から標準物質の濃度をＣｒと推定する。一方、この標準物質はそもそも濃度がＣ２であるから、制御部９は、実際の濃度Ｃ２と推定濃度Ｃｒとの差Ｄを所定の閾値Ｄｘ（本例では図の診断基準Ｊ１に閾値Ｄｘのデータも記憶されている）と比較し、差Ｄが閾値Ｄｘを超えたら検量線の不具合と判定できる。
【００４１】
このようにして、差Ｄが閾値Ｄｘを超えた場合、ステップＳ３４で「Ｎｏ」と判定され、ステップＳ３６で制御部９は、検量線の不具合の報知や、必要に応じて検量線の補正の必要性を報知し、サブルーチン処理を終了する。
一方、差Ｄが閾値Ｄｘ以下の場合、ステップＳ３４で「Ｙｅｓ」と判定し、サブルーチン処理を終了する。
また、差Ｄ及び/又は閾値Ｄｘは、図７の検量線の傾きを用いることにより縦軸の強度Ａに変換可能であり、差Ｄ及び/又は閾値Ｄｘは変換された強度Ａを判定値として用いてもよい。
なお、検量線Ｖ１は、測定対象の強度（ピーク強度又はピークの面積）と、測定対象の量又は割合（濃度等）との関係を示す。検量線Ｖ１は外部標準法と内部標準法のいずれによるものでもよい。
【００４２】
このように、ステップＳ１８の診断で正常な場合、検量線による標準試料の測定を行うことで、検量線の不具合の有無を判定できる。そして、検量線Ｖ１が不具合であることを直ちに把握できるので、検量線を作成し直す判断材料となり、検量線を過不足なく再作成できる。なお、ステップＳ２０の「保守完了」の報知にて、検量線の不具合の有無を同時に報知してもよい。
【００４３】
又、制御部９は、図５のステップＳ１８で「Ｎｏ」と判定した場合に、その後の測定対象を含む未知試料の測定を停止する処理を行っても良い。又、管理済の情報を記憶部１０に記憶し、次回の測定時に表示する等してもよい。管理完了情報を分析結果と合わせて出力してもよい。
このようにすると、液体クロマトグラフ装置１００が管理不良のまま測定に移行することを防止でき、不正確な測定を抑制できる。
【００４４】
本発明は上記実施形態に限定されず、本発明の思想と範囲に含まれる様々な変形及び均等物に及ぶことはいうまでもない。
【符号の説明】
【００４５】
１    移動相
４    固定相（カラム）
６    検出器
９    制御部
１０    記憶部
１００    （液体）クロマトグラフ装置
ＣＲ    標準クロマトグラフ
ＣＲ１〜Ｃｒ３    実測クロマトグラフ
Ｊ１、Ｊ２    診断基準
Ｗ０〜Ｗ２    標準クロマトグラフの波形
Ａ０〜Ａ２    標準クロマトグラフの強度
Ｗ０ａ、Ｗ０ｃ〜Ｗ２ｃ    実測クロマトグラフの波形
Ａ０ｂ〜Ａ２ｂ    実測クロマトグラフの強度
Ｗｘ    第１閾値
Ａｘ    第２閾値
Ｓ０    標準試料のクロマトグラフのピーク
Ｖ１    測定対象の検量線
Ｃｒ    標準試料の推定量又は推定割合
Ｃ２    標準試料の実際の量又は割合
【図１】
2020139775.tif 000003
【図２】
2020139775.tif 000004
【図３】
2020139775.tif 000005
【図４】
2020139775.tif 000006
【図５】
2020139775.tif 000007
【図６】
2020139775.tif 000008
【図７】
2020139775.tif 000009